(57)【要約】【課題】  障害の発生に即座に対応できるようにし、これによりダウンタイムを低減した医用診断装置を提供すること。【解決手段】  実施形態によれば、医用診断装置はサービスプロセッサに接続して稼働される。この医用診断装置は、撮影手段と、第１のストレージデバイスと、転送手段と、切替制御手段とを具備する。撮影手段は、医用画像データを取得する。第１のストレージデバイスは、医用画像データを記憶する。転送手段は、サービスプロセッサに設けられる第２のストレージデバイスに、撮影手段により取得された医用画像データの少なくとも一部を転送する。切替制御手段は、第１のストレージデバイスに記憶される医用画像データと、第２のストレージデバイスに記憶される医用画像データとのいずれかを、データ取得要求に応じて切替出力する。【選択図】  図１
2015138346.tif 000002
【特許請求の範囲】
【請求項１】
サービスプロセッサに接続して稼働される医用診断装置において、
医用画像データを取得する撮影手段と、
前記医用画像データを記憶する第１のストレージデバイスと、
前記サービスプロセッサに設けられる第２のストレージデバイスに、前記撮影手段により取得された前記医用画像データの少なくとも一部を転送する転送手段と、
前記第１のストレージデバイスに記憶される医用画像データと、前記第２のストレージデバイスに記憶される医用画像データとのいずれかを、データ取得要求に応じて切替出力する切替制御手段とを具備することを特徴とする、医用診断装置。
【請求項２】
前記第１のストレージデバイスおよび前記第２のストレージデバイスは、障害画像に関連するデータを記憶し、
前記切替制御部は、前記障害画像に関連するデータを前記第１のストレージデバイスおよび前記第２のストレージデバイスのいずれかから出力することを特徴とする、請求項１に記載の医用診断装置。
【請求項３】
前記第１のストレージデバイスおよび前記第２のストレージデバイスは、前記医用診断装置の装置ログデータを記憶し、
前記切替制御部は、前記装置ログデータ前記第１のストレージデバイスおよび前記第２のストレージデバイスのいずれかから出力することを特徴とする、請求項１に記載の医用診断装置。
【発明の詳細な説明】
【技術分野】
【０００１】
本発明の実施形態は、医用診断装置に関する。
【背景技術】
【０００２】
ＣＴ（computed tomography）装置、ＭＲＩ（magnetic resonance imaging）装置、Ｘ線診断装置、ＰＥＴ（positron emission tomography）装置、あるいは超音波診断装置などの医用診断装置は、それぞれの診断領域に応じた画像データを大量に取得する。医師や検査技師は取得された画像を読影することで、被検体に対する医学的な知見の多くを得ることができる。
【０００３】
病理学的な異常を含むと判断された画像は装置上でのマニュアル操作によりＳＰ（service processor）に送信されて、蓄積される。異常画像を受信したＳＰはさらに関連データを装置から取得するとともに、ＴＡＣ（テクニカルアシスタンスセンタ）にアラートを通知する。また装置の起動時や終了時には最小限のログデータが装置からＳＰに送信され、ＳＰはログを解析して装置の状態を解析する。
【先行技術文献】
【特許文献】
【０００４】
【特許文献１】特開２００３−１９６１２１号公報
【発明の概要】
【発明が解決しようとする課題】
【０００５】
異常画像を受信したＳＰは、装置から関連データを取得しようとする。しかし装置が検査中であったり、あるいは休診日、夜間などのようにシャットダウンされている状態ではＳＰは関連する画像データを装置から取得することができない。このため異常画像に対する解析を即座に実行することができない。
【０００６】
また、ＳＰが装置から取得可能なログデータは、ネットワークの転送速度の制限から装置ログの一部のみにとどまる。このため解析を充分に実施することができず、障害が発生した際にはログデータをＴＡＣから装置に直接取得して解析する必要が有る。このため障害対応に時間がかかることが指摘されていた。
【０００７】
目的は、障害の発生に即座に対応できるようにし、これによりダウンタイムを低減した医用診断装置を提供することにある。
【課題を解決するための手段】
【０００８】
実施形態によれば、医用診断装置はサービスプロセッサに接続して稼働される。この医用診断装置は、撮影手段と、第１のストレージデバイスと、転送手段と、切替制御手段とを具備する。撮影手段は、医用画像データを取得する。第１のストレージデバイスは、医用画像データを記憶する。転送手段は、サービスプロセッサに設けられる第２のストレージデバイスに、撮影手段により取得された医用画像データの少なくとも一部を転送する。切替制御手段は、第１のストレージデバイスに記憶される医用画像データと、第２のストレージデバイスに記憶される医用画像データとのいずれかを、データ取得要求に応じて切替出力する。
【図面の簡単な説明】
【０００９】
【図１】図１は、本発明に係わる医用診断装置の一実施の形態を示すブロック図である。
【図２】図２は、実施形態に係る医用診断装置とＴＡＣとの接続の一例を示す模式図である。
【図３】図３は、通常稼働時における論理的通信チャネルを示す図である。
【図４】図４は、ＴＡＣとＨＤＤ３１との間の通信チャネルの一例を示す図である。
【図５】図５は、装置ログデータの組み合わせ解析ロジックの一例を示すフローチャートである。
【図６】図６は、組み合わせ解析に用いられるデータベースの一例を示す図である。
【図７】図７は組み合わせ解析用のデータベースの一例を示す図である。
【図８】図８は、組み合わせ解析の一例を示す図である。
【発明を実施するための形態】
【００１０】
図１は、本発明に係わる医用診断装置１００の一実施の形態を示すブロック図である。以下、医用診断装置１００の一例としてＸ線ＣＴ装置を採りあげる。  
図１に示される医用診断装置１００は、架台１と、被検体が搭乗する寝台２とを備える。架台１は通信部を介して互いに通信可能な回転部と固定部とを備える。さらに、医用診断装置１００はネットワークＬを介してサービスプロセッサ（ＳＰ）３に接続される。サービスプロセッサ３はネットワークＬを介して回転部および固定部に係わる情報を取得する。例えば画像データや、障害に係わる自己診断データあるいはログデータなどがネットワークＬ経由で医用診断装置１００からサービスプロセッサ３に伝送される。
【００１１】
サービスプロセッサ３は、実施形態に係る機能ブロックとしてハードディスクドライブ（ＨＤＤ）３１を備える。周知のようにＨＤＤ３１はコンピュータの機能に係わるほぼ全てのデータを記憶するストレージデバイスであり、ＯＳ（オペレーティングシステム）や各種のソフトウェアのバイナリデータなどを記憶する。サービスプロセッサ３が起動されるとこれらのデータが内部メモリ（図示せず）にロードされる。
【００１２】
一方、架台１の回転部はＸ線管球１１、Ｘ線制御部１２、スリット・ウェッジ１３、オイルクーラ１４、高電圧発生装置１５、回転部電源１６、および、データ収集装置１８を備える。  
Ｘ線管球１１は被検体にＸ線を曝射する。Ｘ線制御部１２は高電圧発生装置１５およびスリット・ウェッジ１３を制御する。スリット・ウェッジ１３はＸ線吸収体を備え、Ｘ線管球１１から出るＸ線を吸収して曝射量を調整する。オイルクーラ１４はＸ線管球１１から生じる熱を外部に放熱する。高電圧発生装置１５はＸ線制御部１２により制御され、Ｘ線管球１１にエネルギーを供給する。データ収集装置１８は、被検体を透過したＸ線の透過量などをデジタルデータに変換する。回転部電源１６は、回転部の各部に電力を供給する。上記構成により回転部は、医用画像データを取得する撮影手段として機能する。
【００１３】
固定部は、実施形態に係わる機能ブロックとしてハードディスクドライブ（ＨＤＤ）２１、切替制御部２２、およびデータ転送部２３を備える。このうちＨＤＤ２１は、医用診断装置１００が機能するのに必要な各種のデータを記憶するストレージデバイスである。さらにＨＤＤ２１は、回転部１８により取得された医用画像データを記憶する。
【００１４】
データ転送部２３は、回転部１８により取得された医用画像データの少なくとも一部を、切替制御部２２およびネットワークＬを介してサービスプロセッサ３のＨＤＤ３１に転送する。ＨＤＤ３１はこの転送されたデータを記憶する。
【００１５】
実施形態において、ＨＤＤ２１およびＨＤＤ３１は、障害画像に関連するデータを記憶する。さらに、ＨＤＤ２１およびＨＤＤ３１は、医用診断装置１００の装置ログデータを記憶する。  
切替制御部２２は、外部（例えばＴＡＣ）から投入されるデータ取得要求に応じて、ＨＤＤ２１およびＨＤＤ３１のいずれかに記憶されるデータを、取得要求元に出力する。
【００１６】
図２は、実施形態に係る医用診断装置１００とＴＡＣとの接続の一例を示す模式図である。図２に示されるように医用診断装置１００には、ＨＤＤ２１が内部バスなどを介して接続されるとともに、サービスプロセッサ３のＨＤＤ３１が切替制御部２２を経由して接続される。サービスプロセッサ３のＨＤＤ３１は、通常稼働時には医用診断装置１００の
ハードディスクとしても機能することが可能である。
【００１７】
図３に示されるように、通常稼働時においては、医用診断装置１００とＨＤＤ３１とを接続する論理的チャネルが切替制御部２２内に形成される。これにより医用診断装置１００において生じた医用画像データ、障害データ、あるいは装置ログデータをＨＤＤ２１とＨＤＤ３１との双方に記憶することが論理的に可能になる。
【００１８】
通常、切替制御部２２を経由する外部チャネルのデータ転送速度は、装置内における内部バスのデータ転送速度よりも遅いことが多い。このようなケースでは医用診断装置１００において生じた医用画像データ、障害データ、あるいは装置ログデータの少なくとも一部をＨＤＤ３１に転送するようにする。もちろん、データ転送速度が十分に早ければＨＤＤ２１とＨＤＤ３１とに同じデータを蓄積することも可能である。
【００１９】
一方、図４に示されるように医用診断装置１００がシャットダウンされている状態（夜間や休診日など）においては、ＴＡＣは医用診断装置１００のＨＤＤ２１から直接データを取得することができない。しかし通常稼働時におけるデータがＨＤＤ３１に蓄積されているので、サービスプロセッサ３およびＴＡＣはＨＤＤ３１にアクセスすることで必要な処理を実施することができる。
【００２０】
例えばサービスプロセッサ３は、障害画像に関連する画像データをＨＤＤ３１から検索し、医用診断装置１００にアクセスすることなくＴＡＣにアラートを送信することができる。またサービスプロセッサ３は、障害画像に関連する画像データもＨＤＤ３１から取得し、ＴＡＣへ送信することができる。これを受けたＴＡＣは異常画像のレポートを作成し、医用診断装置１００が起動されるとコンソール画面などにレポート結果を表示する。
【００２１】
さらに上記構成によれば、医用画像データのほか、装置ログデータをサービスプロセッサ３のＨＤ３１に保管することができる。これにより、サービスプロセッサ３において様々なログデータを組み合わせて故障解析することが可能になる。
【００２２】
図５は、装置ログデータの組み合わせ解析ロジックの一例を示すフローチャートである。このフローチャートに示される処理手順は、サービスプロセッサ３において例えば装置故障を検出するために実行される。
【００２３】
図５においてサービスプロセッサ３は、装置からログファイルを受信する（ステップＳ１）。すなわちサービスプロセッサ３は、医用診断装置１００の稼働状況を示すログデータをＨＤＤ２１およびＨＤＤ３１の双方から取得する。次にサービスプロセッサ３は、取得したログファイルを解析し（ステップＳ２）、解析にヒットしたログの履歴ファイルを作成する（ステップＳ３）。
【００２４】
例えば図４に示されるように、エラーログには例えばＣＴエラーログの解析データベース、および、ＣＴ ＳＹＳログの解析データベースがある。ＣＴエラーログの解析データベースにおいては、エラーＩＤにコードおよびエラーメッセージがそれぞれキーワードとして対応づけられる。解析時にはＣＴのエラーログファイルと解析データベースのキーワードを文字列により検索し、ヒットしたログデータを解析データベースの履歴ファイルに残すようにする。
【００２５】
ＣＴ ＳＹＳログの解析データベースにおいては、エラーＩＤにコードおよび処理内容がそれぞれキーワードとして対応づけられる。解析時にはＣＴのＳＹＳログファイルと解析データベースのキーワードを文字列により検索し、ヒットしたログデータを解析データベースの履歴ファイルに残すようにする。以上の手順はすべてのログファイルに対する解析が終了するまで継続される。
【００２６】
全てのログファイルに対する解析が終了すると（ステップＳ４でＹｅｓ）、サービスプロセッサ３は複数のログファイルの組み合わせ解析を実行する（ステップＳ５）。図７は組み合わせ解析用のデータベースの一例を示す図である。ステップＳ５においてサービスプロセッサ３は、履歴ファイルを各データベースのＩＤの組み合わせで検索し、ヒットしたデータをＴＡＣに通知する。
【００２７】
例えば図８に示されるように、サービスプロセッサ３は履歴ファイルにおけるＩＤを降順で検索し（検索起点（１））、検索にヒットしたＩＤのＴｉｍｅＲａｎｇｅが範囲内にあるか否かをチェックする。範囲内であれば正式にヒットしたものとする。
【００２８】
次のログ検索においては、検索にヒットしたログのうち日付が一番古いログの一つ前の（つまり古い）ログから検索する。このような組み合わせ解析を実施することで、医用診断装置１００の故障状況がより詳細に分かるアラートを作成したり、事前に予防可能なアラートを送信することが可能になる。
【００２９】
以上説明したようにこの実施形態によれば、異常画像とそれに関連するデータがＨＤＤ２１とＨＤＤ３１との双方に記録される。これにより、医用診断装置１００が検査中であったり、シャットダウン時においても、サービスプロセッサは解析に必要になるデータをＨＤＤ３１から即座に取得することができる。これにより、装置故障を把握するまでの時間を短縮することができ、ＴＡＣは必要な処置を即座に実行することが可能になる。
【００３０】
さらに、ＨＤＤ２１」およびＨＤＤ３１の双方に記憶される装置ログデータの組み合わせで解析することで、より詳細な故障状況の把握や事前に予防可能な情報の取得ができ、装置ダウンタイムを短縮することができる。これらのことから、障害の発生に即座に対応でき、ダウンタイムを低減した医用診断装置を提供することが可能になる。
【００３１】
本発明の実施形態を説明したが、この実施形態は例として提示するものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３２】
１００…医用診断装置、１…架台、２…寝台、３…サービスプロセッサ（ＳＰ）、Ｌ…ネットワーク、２１，３１…ハードディスクドライブ（ＨＤＤ）、１１…Ｘ線管球、１２…Ｘ線制御部、１３…スリット・ウェッジ、１４…オイルクーラ、１５…高電圧発生装置、１６…回転部電源、１８…データ収集装置、２２…切替制御部、２３…データ転送部。
【図１】
2015138346.tif 000003
【図２】
2015138346.tif 000004
【図３】
2015138346.tif 000005
【図４】
2015138346.tif 000006
【図５】
2015138346.tif 000007
【図６】
2015138346.tif 000008
【図７】
2015138346.tif 000009
【図８】
2015138346.tif 000010